(57)【要約】      （修正有）【課題】撮像素子を使用しないモードにおいて、撮像素子が発熱していない時は、高発熱体である熱源に送風することで、ファンの送風を常に高温部に当て、放熱効果を高めた撮像装置を提供する。【解決手段】ファン１０９を正回転で撮像素子３００に送風し、ファン逆回転で熱源である基板３０１に送風する送風経路を備え、撮像素子の使用状態に応じてファンに特定の制御を行うファン制御手段を設ける。【選択図】図３ａ
2015126426.tif 000002
【特許請求の範囲】
【請求項１】
ファンを内蔵する撮像装置において、ファン正回転で撮像素子に送風し、ファン逆回転で熱源に送風する送風経路を備え、撮像素子の使用状態に応じてファンに特定の制御を行うファン制御手段を設けたことを特徴とする撮像装置。
【請求項２】
前記特定の制御手段が、撮像素子を使用している時はファンを正回転させ、撮像素子を使用していない時はファンを逆回転させることを特徴とする請求項１に記載の撮像装置。
【請求項３】
撮像素子の温度検知部を設け、前記特定の制御手段が、撮像素子を使用している時はファンを正回転させ、撮像素子を使用していない時で、かつ撮像素子の温度が所定の温度を下回った時にファンを逆回転させることを特徴とする請求項１に記載の撮像装置。
【発明の詳細な説明】
【技術分野】
【０００１】
本発明は、ファンを備える撮像装置に関するものである。
【背景技術】
【０００２】
従来の撮像装置は、光学像を電気信号に変換するＣＣＤやＣＭＯＳ素子等を撮像素子として使用している。前記ＣＣＤやＣＭＯＳは、発熱量が多く、撮像素子自体が熱くなってしまう。これにより、撮像素子が光学像を電気信号に変換する時にノイズが出てしまうと言った問題があった。この問題に対し、撮像素子を冷却するためにファンを使用した提案がされている（特許文献１参照）。
【先行技術文献】
【特許文献】
【０００３】
【特許文献１】特開２００９−２０６９５１号公報
【発明の概要】
【発明が解決しようとする課題】
【０００４】
しかしながら、撮像装置においては、撮像素子を使用しないモード、例えば記録メディアのデータを再生する再生モード、記録メディアのデータを転送する転送モード等がある。この撮像素子を使用しないモードでは、撮像素子は発熱していない。ファンによる放熱効果は、ファンの送る風の温度に対して、温度差が大きいほど効果が高い。発熱していない温度の低い撮像素子にファンで送風するのは、ファンでの放熱効果が低くなってしまう課題があった。
【課題を解決するための手段】
【０００５】
上記課題を解決するために、請求項１に記載の撮像装置は、ファンを内蔵する撮像装置において、ファン正回転で撮像素子に送風し、ファン逆回転で熱源に送風する送風経路を備え、撮像素子の使用状態に応じてファンに特定の制御を行うファン制御手段を設けたことを特徴とする。
【０００６】
請求項２に記載の撮像装置は、請求項１に記載の撮像装置において、前記特定の制御手段が、撮像素子を使用している時はファンを正回転させ、撮像素子を使用していない時はファンを逆回転させることを特徴とする。
【０００７】
請求項３に記載の発明は、請求項１に記載の撮像装置において、撮像素子の温度検知部を設け、前記特定の制御手段が、撮像素子を使用している時はファンを正回転させ、撮像素子を使用していない時で、かつ撮像素子の温度が所定の温度を下回った時にファンを逆回転させることを特徴とする。
【発明の効果】
【０００８】
以上説明したように、本発明によれば、撮像素子を使用しないモードにおいて、撮像素子が発熱していない時は、高発熱体である熱源に送風することで、ファンの送風を常に高温部に当てることが可能となり、ファンによる放熱効果を高めることが可能となる。
【図面の簡単な説明】
【０００９】
【図１】本実施形態による撮像装置の構成例を示すブロック図である。
【図２】本実施形態による撮像装置の外観斜視図である。
【図３ａ】本実施形態の撮像装置による第一の内部配置を示す図である。
【図３ｂ】本実施形態の撮像装置による第二の内部配置を示す図である。
【図４】本実施形態の撮像装置による第一のファン回転制御処理を示すフローチャートである。
【図５】本実施形態の撮像装置による第二のファン回転制御処理を示すフローチャートである。
【発明を実施するための形態】
【００１０】
以下、図面を参照して本実施形態を説明する。
【００１１】
＜第一の実施形態＞
図１は本実施形態による撮像装置本体１００の構成例を示すブロック図である。図２は本実施形態による撮像装置の外観斜視図である。
【００１２】
図１乃至２において、撮像部１０１は撮影レンズ、光学像を電気信号に変換するＣＣＤやＣＭＯＳ素子等で構成される撮像素子３００、アナログ信号をデジタル信号に変換するＡ／Ｄ変換器により、被写体画像をデジタル信号に変換し、撮影画像データを出力する。
【００１３】
音声入力部１１０は音声を電位信号に変換するマイク等で構成され、音声データを出力する。ＲＯＭ１０３は、電気的に消去・記録可能なメモリであり、例えばＥＥＰＲＯＭ等が用いられる。ＲＯＭ１０３には、ＣＰＵ１０２の動作用の定数、プログラム等が記憶される。ここでいう、プログラムとは、本実施形態にて後述する各種フローチャートを実行するためのプログラムのことである。ＣＰＵ１０２は、撮像装置本体１００全体を制御する。前述したＲＯＭ１０３に記録されたプログラムを実行することで、後述する本実施形態の各処理を実現する。
【００１４】
ＲＡＭ１０４はシステムメモリ、ワークメモリ、画像メモリ、音声メモリであり、ＲＡＭ等が用いられる。ＲＡＭ１０４には、ＣＰＵ１０２の動作用の定数、変数、ＲＯＭ１０３から読み出したプログラム等を展開する。温度検知部１０５は、撮像素子３００近傍に配置され撮像素子の温度データを出力する。温度検知部１０５にはサーミスタ等を用いる。
【００１５】
表示部１０６は、ＣＰＵ１０２がＲＡＭ１０４に送信させる画像データにより、画像を表示する。表示部１０６には液晶パネル、有機ＥＬ等を用いる。記録部１０７はＣＰＵ１０２がＲＡＭ１０４に送信させる画像データと音声データを記録する。記録部１０７は画像データと音声データを記録するためのメモリカード等の記録媒体であり、半導体メモリや磁気ディスク、磁気テープ等から構成される。
【００１６】
操作部１０８は、撮像装置本体１００に設けられるシャッター釦２０２、電源釦２０１、表示部１０６と重ねて設けられるタッチパネル２０３等により構成される操作に関わる部分を示す。電源釦２０１は撮像装置本体１００の電源ＯＮ、ＯＦＦを行う。シャッター釦２０２は、操作することにより、撮影される画像データと音声データが記録部１０７に保存される。タッチパネル２０３は、重ねて設けらた表示部１０６に表示される種々のアイコンを選択操作することで、各種機能釦として作用する。機能釦としては、例えば撮影モード切り替え釦、ズーム釦、メニュー釦、等がある。例えば、ズーム釦が押されるとズーム機能が開始され撮影シーンに適した画角にできる。利用者は、表示部１０６に表示された釦を重ねて配置されたタッチパネル２０３により操作することで、直感的に各種設定を行うことができる。
【００１７】
前記ＣＰＵ１０２、ＲＯＭ１０３、ＲＡＭ１０４は、撮像装置本体１００の内部に配置される基板３０１上に配置されている。ＣＰＵ１０２は、ファン１０９を駆動するモーターの制御を前記モーターへの入力電圧値、またはＰＷＭ制御と呼ばれる入力電圧を矩形波にすることにより回転数を制御する制御手段を持つ。
【００１８】
その他、撮像装置に使われる構成として、撮像装置本体を駆動するための電源部、バッテリー部、ストロボ部、等あるが、撮像装置として周知の事実を用いるため、ここでは図示、及び詳細な説明を省く。
【００１９】
図３ａは本実施形態の撮像装置による第一の内部配置を示す図である。図３ａにおいて、撮像装置本体１００には内蔵されるファン１０９が、撮像素子３００と熱源である基板３０１の間に配置されている。ファン１０９が正回転すると撮像素子方向Ｘに風が送られる。ファン１０９が逆回転すると熱源方向Ｙに風が送られる。ファン１０９をこのように配置することで、ファン１０９が正回転の時には撮像素子へ、ファン１０９が逆回転をする時は熱源へ風が送られる通風経路を設けている。
【００２０】
図４は本実施系における第一のファン回転制御処理のフローチャートである。このフローチャートにおける各処理は、ＣＰＵ１０２がＲＯＭ１０３に格納されたプログラムをＲＡＭ１０４に展開して実行することにより実現される。図４において、ステップＳ４０２は、ＣＰＵ１０２が電源釦２０１により電源ＯＮの命令があるか判断を行う。ＣＰＵ１０２は前記電源釦２０１より電源ＯＮの命令がないと判断した場合、ステップＳ４０２に戻る。ＣＰＵ１０２は前記電源釦２０１により電源ＯＮの命令があったと判断した場合、ステップＳ４０３へ進む。
【００２１】
ステップＳ４０３はＣＰＵ１０２が撮像素子３００を使用しているか判断する。前記撮像素子３００が使用されている状態の時はステップＳ４０４へ進む。前記撮像素子３００を使用してない状態の時はステップＳ４０６へ進む。先ず、ステップＳ４０４へ進んだ場合を説明する。ステップＳ４０４は、ＣＰＵ１０２がファン制御手段にてファンを正回転させてステップＳ４０５へ進む。
【００２２】
ステップＳ４０５はＣＰＵ１０２が電源釦２０１により電源ＯＦＦの命令があったか判断を行う。ＣＰＵ１０２は前記電源釦２０１により電源ＯＦＦの命令があると判断した場合、ステップＳ４０８へ進む。ＣＰＵ１０２は前記電源釦２０１により電源ＯＦＦの命令が無かったと判断した場合、ステップＳ４０３へ戻る。
【００２３】
次にステップＳ４０３にてステップＳ４０６へ進んだ場合を説明する。ステップＳ４０６はＣＰＵ１０２がファン制御手段にてファンを逆回転させてステップＳ４０７へ進む。ステップＳ４０７はＣＰＵ１０２が電源釦２０１により電源ＯＦＦの命令があったか判断を行う。ＣＰＵ１０２は前記電源釦２０１により電源ＯＦＦの命令があると判断した場合、ステップＳ４０８へ進む。ＣＰＵ１０２は前記電源釦２０１により電源ＯＦＦの命令が無かったと判断した場合、ステップＳ４０４へ戻る。
【００２４】
以上のように本発明の第一のファン制御処理によれば、例えば撮像装置の撮像素子が使われていないモードにて、撮像素子の温度が低くなったとしても、高温である熱源に風をあてることでファンの効果を上げることが可能となる。
【００２５】
＜第二の実施形態＞
本実施形態による撮像装置本体１００の構成例を示すブロック図、撮像装置の外観斜視図、撮像装置の内部配置については、第一の実施系態と同じなので、ここでは詳細な説明を省く。
【００２６】
図５は本実施系における第二のファン回転制御処理のフローチャートである。このフローチャートにおける各処理は、ＣＰＵ１０２がＲＯＭ１０３に格納されたプログラムをＲＡＭ１０４に展開して実行することにより実現される。図５において、ステップＳ５０２は、ＣＰＵ１０２が電源釦２０１により電源ＯＮの命令があるか判断を行う。ＣＰＵ１０２は前記電源釦２０１より電源ＯＮの命令がないと判断した場合、ステップＳ５０２に戻る。ＣＰＵ１０２は前記電源釦２０１により電源ＯＮの命令があったと判断した場合、ステップＳ５０３へ進む。
【００２７】
ステップＳ５０３はＣＰＵ１０２が撮像素子３００を使用しているか判断する。前記撮像素子３００が使用されている状態の時はステップＳ５０４へ進む。前記撮像素子３００を使用してない状態の時はステップＳ５０６へ進む。先ず、ステップＳ５０４へ進んだ場合を説明する。ステップＳ５０４は、ＣＰＵ１０２がファン制御手段にてファンを正回転させてステップＳ５０５へ進む。
【００２８】
ステップＳ５０５はＣＰＵ１０２が電源釦２０１により電源ＯＦＦの命令があったか判断を行う。ＣＰＵ１０２は前記電源釦２０１により電源ＯＦＦの命令があると判断した場合、ステップＳ５１０へ進む。ＣＰＵ１０２は前記電源釦２０１により電源ＯＦＦの命令が無かったと判断した場合、ステップＳ５０３へ戻る。
【００２９】
次にステップＳ５０３にてステップＳ５０６へ進んだ場合を説明する。ステップＳ５０６はＣＰＵ１０２が温度検知部１０５から撮像素子の温度データをＲＡＭ１０４に書き込みステップＳ５０７へ進む。
【００３０】
ステップＳ５０７では、ＣＰＵ１０２が予めＲＯＭ１０３に書き込まれた温度データとＲＡＭ１０４に書き込まれた撮像素子の温度データを比較する。前記撮像素子温度データが前記書き込まれた温度データより大きい場合はステップＳ５０３へ戻る。前記撮像素子温度データが前記書き込まれた温度データより小さい場合はステップＳ５０８へ進む。
【００３１】
ステップＳ５０３は前述の通りなのでここでは割愛する。ステップＳ５０８では、ＣＰＵ１０２がファン制御手段にてファンを逆回転させてステップＳ５０９へ進む。ステップＳ５０９はＣＰＵ１０２が電源釦２０１により電源ＯＦＦの命令があったか判断を行う。ＣＰＵ１０２は前記電源釦２０１により電源ＯＦＦの命令があると判断した場合、ステップＳ５１０へ進む。ＣＰＵ１０２は前記電源釦２０１により電源ＯＦＦの命令が無かったと判断した場合、ステップＳ５０３へ戻る。
【００３２】
以上のように本発明の第二のファン制御処理によれば、例えば撮像装置の撮像素子が使われていないモードに切り替えた時に、撮像素子の温度が下がるまでは撮像素子に風を当て、撮像素子の温度が低くなったと判断されたら、高温である熱源に風をあてる。撮像素子に必要な冷却を行った後に、高温部を冷やすことでファンの効果を上げることが可能となる。
【００３３】
＜第三の実施形態＞
本実施形態による撮像装置本体１００の構成例を示すブロック図と、撮像装置の外観斜視図は、第一の実施例と同じなので、ここでは詳細な説明を省く。
【００３４】
図３ｂは本実施形態の撮像装置による第二の内部配置を示す図である。図３ｂにおいて、撮像装置本体１００には内蔵されるファン１０９と共に、撮像素子側と熱源側に開口部を持つトンネル状のダクト３０２を配置している。ファン１０９が正回転すると撮像素子方向Ｘに風が送られる。ファン１０９が逆回転するとダクト３０２を通ることにより熱源方向Ｙに風が送られる。ファン１０９とダクト３０２をこのように配置することで、ファン１０９が正回転の時には撮像素子へ、ファン１０９が逆回転をする時は熱源へ風が送られる通風経路を設けている。ダクト３０２以外に撮像素子側Ｘ方向にもダクトを配置することでファン１０９の配置は自由度を増すことができる。
【００３５】
ファンの制御に関しては、第一の実施例と第二の実施例のどちらかを利用すれば良いので、ここでは詳細な説明を省く。
【００３６】
以上のように本発明の第二の内部配置によれば、ダクトを配置することで、ファンの配置の自由度が高い撮像装置の構成が可能となる。
【符号の説明】
【００３７】
100‥‥撮像装置本体
101‥‥撮像部
102‥‥ＣＰＵ
103‥‥ＲＯＭ
104‥‥ＲＡＭ
105‥‥温度検知部
106‥‥表示部
107‥‥記録部
108‥‥操作部
109‥‥ファン
110‥‥音声入力部
200‥‥電源釦
201‥‥シャッター釦
202‥‥タッチパネル
300‥‥撮像素子
301‥‥基板
302‥‥ダクト
Ｘ‥‥撮像素子方向
Ｙ‥‥熱源方向
【図１】
2015126426.tif 000003
【図２】
2015126426.tif 000004
【図３ａ】
2015126426.tif 000005
【図３ｂ】
2015126426.tif 000006
【図４】
2015126426.tif 000007
【図５】
2015126426.tif 000008